(57)【要約】【課題】  ハンドルの防振に関して改善された打撃工具を提供する。【解決手段】  打撃工具であって、工具本体部１０１と、ハンドル３００Ａを有し、ハンドル３００Ａは、ハンドル本体部３００と、先端工具１１９の長軸方向と交差する方向に延在し、作業者の左右の手によりそれぞれ把持される一対の把持部３５０と、を有する。ハンドル本体部３００は、一対の把持部３５０が固定状に連結される第１部分３０１と、工具本体部１０１に固定状に連結される第２部分３０３とを有する。第１部分３０１は、工具本体部１０１に対して弾性部材３３９を介して支持され、当該弾性部材３３９の弾性力によって付勢された状態で、工具本体部１０１及び第２部分３０３に対して相対移動可能とされ、第２部分３０３にはモータ１１０に電流を供給する電流供給ケーブル３０９が配置されている。【選択図】  図１
2015066628.tif 000002
【特許請求の範囲】
【請求項１】
先端工具を少なくとも長軸方向に駆動して所定の作業を行う打撃工具であって、
前記先端工具を駆動する駆動機構と、
前記駆動機構を駆動するモータと、
前記駆動機構及び前記モータを収容する工具本体部と、
ハンドルと、
前記ハンドルに設けられ、前記モータに電流を供給するための電流供給ケーブルと、を有し、
前記ハンドルは、前記工具本体部に装着されるハンドル本体部と、前記先端工具の長軸方向と交差する方向に延在し、作業者の左右の手によりそれぞれ把持される一対の把持部と、を有し、
前記ハンドル本体部は、前記一対の把持部が固定される第１部分と、前記工具本体部に固定され、前記第１部分が相対移動可能に接続される第２部分とを有し、
前記第１部分は、前記工具本体部に対して弾性部材を介して接続され、当該弾性部材の弾性力によって付勢された状態で前記工具本体部及び前記第２部分に対して相対移動可能とされ、
前記ハンドルのうち、前記第２部分に前記電流供給ケーブルが配置されていることを特徴とする打撃工具。
【請求項２】
請求項１に記載の打撃工具であって、
前記ハンドル本体部は、前記第1部分と前記第２部分の間に配置された接続部材を有し、前記接続部材は、前記第1部分の前記第２部分に対する相対移動を許容しつつ、前記第1部分と前記第２部分を接続することを特徴とする打撃工具。
【請求項３】
請求項１または２に記載の打撃工具であって、
前記工具本体部は、前記第１部分を前記先端工具の長軸方向に案内するガイド部材を有し、
前記ガイド部材は、前記先端工具の長軸方向に延在するように前記工具本体部の外周に配置された複数のガイド要素によって構成されていることを特徴とする打撃工具。
【請求項４】
請求項３に記載の打撃工具であって、
前記弾性部材は、前記複数のガイド要素に対応した複数の弾性要素によって構成されていることを特徴とする打撃工具。
【請求項５】
請求項３または４項に記載の打撃工具であって、
前記弾性部材は、前記先端工具の長軸方向に交差する方向から見たときに、前記ガイド部材と重なる位置に配置されていることを特徴とする打撃工具。
【請求項６】
請求項３〜５のいずれか１項に記載の打撃工具であって、
前記把持部は、前記先端工具の長軸方向に交差する方向から見たときに、前記弾性部材及び前記ガイド部材と重なる位置に配置されていることを特徴とする打撃工具。
【請求項７】
請求項３〜６のいずれか１項に記載の打撃工具であって、
前記ガイド要素は、棒状に形成されており、
前記弾性要素は、コイルスプリングで形成されており、前記ガイド要素の外周を囲むように配置されていることを特徴とする打撃工具。
【請求項８】
請求項１〜７のいずれか１項に記載の打撃工具であって、
前記ハンドルは、前記把持部とは別の第２把持部を有し、前記第２把持部は、前記第２部分に設けられていることを特徴とする打撃工具。
【請求項９】
請求項１〜８のいずれか１項に記載の打撃工具であって、
前記第１部分は、前記工具本体部の外側に配置されており、
前記ハンドル本体部は、前記第１部分の外側の少なくとも一部を覆うように配置された保護部材と、前記第１部分の内側に配置され、前記工具本体部に対する前記第１部分の相対移動範囲を規定するストッパ部材とを有し、
前記保護部材と前記ストッパ部材は、同一の弾性材料で形成されるとともに、当該弾性材料と同一の弾性材料で形成された連結部材により互いに連結されていることを特徴とする打撃工具。
【発明の詳細な説明】
【技術分野】
【０００１】
本発明は、先端工具が少なくとも長軸方向に打撃されることで被加工材に所定のハンマ作業を遂行する打撃工具の防振技術に関する。
【背景技術】
【０００２】
特表２００７−５１３７８４号公報は、作業者の左右の手によりそれぞれ把持される一対のハンドルを備えた電動ハンマを示している。この電動ハンマは、工具本体部の周りを囲む筒状フードを有し、この筒状フードにハンマの打撃軸線と交差する方向に延びる一対のハンドルが設けられている。筒状フードは、工具本体部に対して複数のローラで構成される転動体装置を介して打撃軸線方向に相対移動可能とされるとともに、弾性部材によって工具本体部に接続されている。
【先行技術文献】
【特許文献】
【０００３】
【特許文献１】特表２００７−５１３７８４号公報
【発明の概要】
【発明が解決しようとする課題】
【０００４】
特表２００７−５１３７８４号公報に記載の電動ハンマでは、ハンドルが設けられた筒状フードは、複数のローラからなる転動体装置によってハンマビットの長軸方向に直線状に案内され、弾性部材によって工具本体部から振動伝達が低減される構成である。しかしながら、特表２００７−５１３７８４号公報に記載の電動ハンマの場合、ハンドルの防振に関してなお改善の余地がある。
【０００５】
本発明は、上記に鑑みてなされたものであり、ハンドルの防振に関して改善された打撃工具を提供することを目的とする。
【課題を解決するための手段】
【０００６】
上記課題を達成するため、本発明に係る打撃工具の好ましい形態によれば、先端工具を少なくとも長軸方向に駆動して所定の作業を行う打撃工具が構成される。打撃工具は、先端工具を駆動する駆動機構と、駆動機構を駆動するモータと、駆動機構及びモータを収容する工具本体部と、ハンドルと、ハンドルに設けられ、モータに電流を供給するための電流供給ケーブルと、を有する。ハンドルは、工具本体部に装着されるハンドル本体部と、先端工具の長軸方向と交差する方向に延在し、作業者の左右の手によりそれぞれ把持される一対の把持部と、を有する。ハンドル本体部は、一対の把持部が固定される第１部分と、工具本体部に固定され、第１部分が相対移動可能に接続される第２部分とを有する。第１部分は、工具本体部に対して弾性部材を介して接続され、当該弾性部材の弾性力によって付勢された状態で工具本体部及び第２部分に対して相対移動可能とされる。そして、ハンドルのうち、第２部分に電流供給ケーブルが配置された構成とされる。なお、本発明の「第１部分」は、例えば、先端工具の長軸方向周りに関して、工具本体部を囲む環状部材で構成することが好ましく、また「第２部分」は、例えば、第１部分よりも先端工具側に配置され、先端工具の長軸方向周りに関して、工具本体部を覆うカバー部材で構成することが好ましい。
【０００７】
本発明によれば、先端工具が長軸方向に駆動する作業時において、工具本体部には、振動が発生する。このとき、ハンドルのうち、一対の把持部が固定された第１部分は、工具本体部に対して弾性部材を介して接続されているため、工具本体部から第１部分及び把持部への振動伝達が弾性部材により低減される。
打撃工具の場合、モータ及び駆動機構が集中配置される領域に重心が存在することが多い。一方、ハンドルについては、打撃工具の操作性を考慮し、重心の近くに配置されるのが一般的である。そして、モータに電流を供給する電流供給ケーブルの取り回しの合理化を考慮した場合、モータの近くに電流供給ケーブルを配置することが好ましい。本発明においては、モータに電流を供給する電流供給ケーブルにつき、ハンドルに配置する構成とすることで、モータと電流供給ケーブルとを近接して配置し、電流供給ケーブルの取り回しの合理化を図ることが可能となる。
特に本発明では、ハンドルのうち、工具本体部に固定された第２部分に電流供給ケーブルを配置する構成としている。すなわち、本発明によれば、ハンドルの構成部材であるハンドル本体部につき、工具本体部に対して相対移動可能な第１部分と固定された第２部分を有する構成とした上で、当該第２部分に電流供給ケーブルを配置する構成としている。このため、ハンドルの防振化を図りつつ、電流供給ケーブルに関する合理的な配置が構築される。なお、本発明における「弾性部材」としては、典型的にはバネが用いられるが、バネに限らずゴムを用いてもよい。
【０００８】
本発明に係る打撃工具の更なる形態によれば、ハンドル本体部は、第1部分と第２部分の間に配置された接続部材を有し、接続部材は、第1部分の第２部分に対する相対移動を許容しつつ、第1部分と第２部分を接続する。なお、本発明における「接続部材」は、典型的には伸縮自在な波状部材からなる蛇腹によって構成される。また、「接続部材」は、先端工具の長軸方向周りに関して、工具本体部を囲むゴム製の環状部材で構成することが好ましい。
この形態によれば、接続部材は、ハンドル本体部の第１部分と第２部分が相対移動する際の、両部分間の隙間を塞ぐシール部材として機能することができる。このことから、例えば、第１部分が工具本体部を囲む環状部材で構成され、第２部分が第１部分よりも先端工具側に配置されて工具本体部を覆うカバー部材で構成されるような場合であれば、第１部分及び第２部分の相対移動を許容しつつ、作業時に生じた粉塵が第１部分と第２部分間の隙間を通じて侵入することを回避する防塵カバー構造を合理的に構築可能となる。
【０００９】
本発明に係る打撃工具の更なる形態によれば、工具本体部は、第１部分を先端工具の長軸方向に案内するガイド部材を有する。ガイド部材は、先端工具の長軸方向に延在するように工具本体部の外周に配置された複数のガイド要素によって構成される。なお、本発明における「ガイド要素」は、典型的には断面円形の棒状部材で構成されるが、断面円形以外の形状、例えばＴ字形、Ｌ字形、四角形等であっても何ら差し支えない。
この形態によれば、第１部分を、複数のガイド要素によって案内する構成のため、第１部分の動作の安定化が図られ、先端工具の長軸方向に円滑に移動させることができる。
【００１０】
本発明に係る打撃工具の更なる形態によれば、弾性部材は、複数のガイド要素に対応した複数の弾性要素によって構成される。
この形態によれば、複数のガイド要素に対応した複数の弾性要素を設けることで、第１部分に対して弾性部材の付勢力がバランスよく作用するように複数の弾性要素を配置することができ、工具本体部及び第２部分に対する第１部分の相対移動の円滑化を図ることができる。
【００１１】
本発明に係る打撃工具の更なる形態によれば、弾性部材は、先端工具の長軸方向に交差する方向から見たときに、ガイド部材と重なる位置に配置されている。
この形態によれば、打撃工具を先端工具の長軸方向に交差する方向から見た側面視において、ガイド部材と弾性部材が重なる、すなわちオーバーラップする位置に配置されることで、先端工具の長軸方向に関して、打撃工具の短縮化を図る上で合理的な配置となる。
【００１２】
本発明に係る打撃工具の更なる形態によれば、把持部は、先端工具の長軸方向に交差する方向から見たときに、弾性部材及びガイド部材と重なる位置に配置されている。
この形態によれば、打撃工具を先端工具の長軸方向に交差する方向から見た側面視において、把持部をガイド部材及び弾性部材と重なる、すなわちオーバーラップする位置に配置することで、先端工具の長軸方向に関して、打撃工具の短縮化を図る上で合理的な配置となる。
【００１３】
本発明に係る打撃工具の更なる形態によれば、ガイド要素は、棒状に形成されている。また、弾性要素は、コイルスプリングで形成されており、ガイド要素の外周を囲むように配置されている。
この形態によれば、ガイド要素の外周にコイルスプリングを近接して配置することにより、伸縮動作するコイルスプリングをガイド要素によって座屈しないように案内させ、伸縮動作の安定化を図ることができる。
【００１４】
本発明に係る打撃工具の更なる形態によれば、ハンドルは、把持部とは別の第２把持部を有している。そして、第２把持部は、第２部分に設けられている。
この形態によれば、横倒し状態に置かれた打撃工具を起立させるとき、あるいは打撃工具を運搬するとき等の付随作業を行う際に、作業者は第２把持部を把持して打撃工具を持ち上げることができる。その場合、第２把持部は、工具本体部に固定される第２部分のうち、打撃軸線方向と直交し、且つ打撃工具の重心を含む平面に配置することが好ましい。このような配置とすることで、重心バランスが良くなり、打撃工具を運搬する場合において、打撃工具の持ち運びを楽に行うことができる。また、第２把持部は、作業時の邪魔にならないように、また外観見栄えを損なわないように、第２部分の外面から外側に突き出ない態様で配置することが好ましい。
【００１５】
本発明に係る打撃工具の更なる形態によれば、第１部分は、工具本体部の外側に配置されている。ハンドル本体部は、第１部分の外側の少なくとも一部を覆うように配置された保護部材と、第１部分の内側に配置され、工具本体部に対する第１部分の相対移動範囲を規定するストッパ部材とを有する。保護部材とストッパ部材は、同一の弾性材料で形成されるとともに、当該弾性材料と同一の弾性材料で形成された連結部材により互いに連結されている。なお、この形態における「弾性材料」とは、典型的にはエラストマがこれに該当する。
この形態によれば、第１部分の外側に配置された保護部材と内側に配置されたストッパ部材が、互いに連結される構成のため、保護部材及びストッパ部材の第１部分からの脱落を合理的に防止できる。
【発明の効果】
【００１６】
本発明によれば、ハンドルの防振に関して改善された打撃工具が提供されることとなった。
【図面の簡単な説明】
【００１７】
【図１】本実施形態に係る打撃工具の正面図である。
【図２】打撃工具の左側面図である。
【図３】打撃工具の右側面図である。
【図４】打撃工具の平面図である。
【図５】打撃工具の内部構造を示す縦断面図である。
【図６】図５のＡ−Ａ線断面図である。
【図７】図５のＢ−Ｂ線断面図である。
【図８】図５のＣ−Ｃ線断面図である。
【図９】図５のＤ部拡大図である。
【図１０】ハンドルの防振構造を説明するための分解斜視図である。
【図１１】本発明の他の実施形態に係るセンターカバーを外側から見た斜視図である。
【図１２】同じくセンターカバーを内側から見た斜視図である。
【図１３】プロテクターとストッパを連結する連絡部を示す断面図である。
【図１４】図１３のＥ部拡大図である。
【図１５】連絡部から延びる延長部分とストッパの連結を説明する断面図である。
【図１６】本発明の更に他の実施形態に係る蛇腹を示す斜視図である。
【図１７】同じく蛇腹の断面図である。
【図１８】蛇腹の取り付け状態を示す断面図である。
【発明を実施するための最良の形態】
【００１８】
以下、本発明の実施形態につき、図１〜図１０を参照しつつ詳細に説明する。本実施形態は、打撃工具の一例として電動ハンマを用いて説明する。図１〜図４には電動ハンマ１００の外観形状が示され、図５には電動ハンマ１００の内部機構が断面図で示される。本実施の形態に係る電動ハンマ１００は、本体部１０１の先端領域にハンマビット１１９を装着し、装着されたハンマビット１１９を長軸方向に打撃動作させて、被加工材、例えばコンクリートに対してハツリ作業を行う打撃工具である。ハンマビット１１９は、筒状のツールホルダ１３１を介して本体部１０１に着脱自在に取り付けられる。ハンマビット１１９は、ツールホルダ１３１のビット挿入孔内に挿入され、周方向への相対的な回動が規制された状態で保持される。このハンマビット１１９が、本発明における「先端工具」に対応し、本体部１０１が、本発明における「工具本体部」に対応する。
【００１９】
本体部１０１は、図５に示すように、電動モータ１１０及び運動変換機構１２０を収容する本体ハウジング１０３、打撃要素１４０及びツールホルダ１３１の一部を収容するバレル部１０４を主体として構成される。なお、本体ハウジング１０３及びバレル部１０４は、共にアルミニウム製であり、ハンマビット１１９の長軸方向に関して互いに接合される。ハンマビット１１９の長軸方向に関して本体部１０１のハンマビット１１９と反対側には、ハツリ作業を行うべく電動ハンマ１００を操作するためのハンドル３００Ａが配置されている。このハンドル３００Ａが、本発明における「ハンドル」に対応する。
【００２０】
なお、本実施形態に係る電動ハンマ１００は、概ね３０kgの重量を有する大型ハンマであり、基本的には作業者がハンドル３００Ａのハンドグリップ３５０を把持し、ハンマビット１１９を下向きにした状態でハツリ作業を行う。従って、本実施形態では、便宜上、ハンマビット１１９の長軸方向、すなわち本体部１０１の長軸方向に関して、ハンマビット１１９側を、「下側」ないし「下方側」として規定し、その反対側を、「上側」ないし「上方側」として規定する。
【００２１】
電動モータ１１０は、交流（ＡＣ）電源からの給電によって駆動される構成であり、図５に示すように、当該電動モータ１１０のモータ軸１１１がハンマビット１１９の長軸方向に延在する軸線に対して交差するように配置されている。電動モータ１１０の回転は、運動変換機構１２０によって直線運動に適宜変換された上で打撃要素１４０に伝達され、当該打撃要素１４０を介してハンマビット１１９を長軸方向（図１における下方向）に打撃する。
【００２２】
運動変換機構１２０は、電動モータ１１０の回転運動を直線運動に変換して打撃要素１４０に伝達するものであり、電動モータ１１０の下方に配置され、複数のギアからなるギア減速機１１３を介して電動モータ１１０により駆動されるクランク軸１２１、連接ロッド１２３、ピストン１２５等からなるクランク機構によって構成される。ピストン１２５は、打撃要素１４０を駆動する駆動子を構成するものであり、シリンダ１４１内をハンマビット１１９の長軸方向に摺動可能とされる。この運動変換機構１２０が、本発明における「駆動機構」に対応する。なお、クランク軸１２１は、電動モータ１１０のモータ軸１１１と平行に配置されている。
【００２３】
打撃要素１４０は、シリンダ１４１内に摺動自在に配置された打撃子としてのストライカ１４３と、ツールホルダ１３１内に摺動自在に配置されるとともに、ストライカ１４３の運動エネルギをハンマビット１１９に伝達する中間子としてのインパクトボルト１４５とを主体として構成される。シリンダ１４１は、ツールホルダ１３１の上方に同心状に配置されるとともに、ピストン１２５及びストライカ１４３によって仕切られる空気室１４１ａを有する。ストライカ１４３は、ピストン１２５の摺動動作に伴う空気室１４１ａの空気ばねを介して駆動され、インパクトボルト１４５に衝突し、当該インパクトボルト１４５を介してハンマビット１１９を打撃する。
【００２４】
次にハンドル３００Ａの防振構造につき説明する。図１〜図５に示すように、電動ハンマ１００における本体部１０１の上方側には、ハンドル３００Ａが配置されている。ハンドル３００Ａは、グリップ保持部材３００と、作業者の左右の手によりそれぞれ把持可能な一対のハンドグリップ３５０を主体として構成される。グリップ保持部材３００は、一対のハンドグリップ３５０が固定される部材として備えられる。また、グリップ保持部材３００は、電動ハンマ１００を上方から見た場合には、図４に示すように、概ね左右方向に長い長方形状で、且つ側方から見た場合には、図５に示すように、下方が開放された筒状に形成されており、本体ハウジング１０３の全体を外側から覆うように配置されている。すなわち、グリップ保持部材３００は、一対のハンドグリップ３５０を保持する機能と、本体ハウジング１０３を覆うハウジングとしての機能との、複数の機能を有する部材として備えられる。このグリップ保持部材３００が、本発明における「ハンドル本体部」に対応し、ハンドグリップ３５０が、本発明における「把持部」に対応する。
【００２５】
グリップ保持部材３００は、ハンマビット１１９の長軸方向に関して、上方側に配置される上方領域部３０１と、下方側に配置される下方領域部３０３と、それら両領域部３０１，３０３をハンマビット１１９の長軸方向に相対移動可能に接続する環状の蛇腹３０５を主体として構成されている。そして、一対のハンドグリップ３５０は、グリップ保持部材３００のうち、上方領域部３０１に固定されている。この上方領域部３０１が、本発明における「第１部分」に対応し、下方領域部３０３が、本発明における「第２部分」に対応し、蛇腹３０５が、本発明における「接続部材」に対応する。
【００２６】
図１０には、ハンドル３００Ａが分解した状態で示される。グリップ保持部材３００のうち、上方領域部３０１は、図１０に示すように、電動ハンマ１００を上方から見た場合に、左側壁を構成するハンドルベース３１１、右側壁を構成するハンドルベース３１１、前側壁を構成するセンターカバー３１３、後側壁を構成するセンターカバー３１３及び上側壁を構成するヘッドカバー３１５を有し、それらが互いに複数のネジ３１７により連結され、組み付けられる。具体的には、上方領域部３０１のうち、左側と右側のハンドルベース３１１は、前側と後側のセンターカバー３１３とヘッドカバー３１５を介して互いに連結され、前側と後側のセンターカバー３１３は、左側と右側のハンドルベース３１１とヘッドカバー３１５を介して互いに連結される。組み付け後の上方領域部３０１は、下方が開放された長方形筒型に形成され、ハンマビット１１９の長軸方向周りに関して、本体ハウジング１０３の上方側を覆うカバー部材を構成する。
【００２７】
上方領域部３０１は、左側と右側のハンドルベース３１１と前側と後側のセンターカバー３１３により、本体ハウジング１０３の周りを囲む環状部材を構成する。そして、当該環状部材の構成部材のうち、左側と右側のハンドルベース３１１は、合成樹脂製であり、互いに同一形状に形成される。また、前側と後側のセンターカバー３１３は、合成樹脂製であり、互いに同一形状に形成される。なお、前側と後側のセンターカバー３１３の材質については、合成樹脂に限らず、アルミニウム或いはマグネシウムであってもよい。ヘッドカバー３１５は、合成樹脂製であり、単一部品として製作される。また、前側と後側のセンターカバー３１３の外面には、ハンマビット１１９の長軸方向に延在する帯状のプロテクター３１４が当該センターカバー３１３の外表面の一部を覆うように固定状に設けられている。プロテクター３１４は、エラストマ製であり、ハンマビット１１９の長軸方向と交差する方向に関して、所定間隔を置いて２個並設されており、センターカバー３１３の外面から外向きに所定高さで突出する。すなわち、プロテクター３１４は、電動ハンマ１００が横倒し状態に置かれたときに、グリップ保持部材３００が地面に当接する前に地面に当接することでグリップ保持部材３００を保護する保護部材として備えられる。このプロテクター３１４が、本発明における「保護部材」に対応する。
【００２８】
上方領域部３０１は、図５〜図８に示すように、本体ハウジング１０３のうちの上方部分に被さるように配置されるとともに、当該本体ハウジング１０３に対してハンマビット１１９の長軸方向に相対移動可能に装着される。すなわち、本体ハウジング１０３は、上方領域部３０１をハンマビット１１９の長軸方向に案内するためのスライドガイド３１９を備えている。そして、上方領域部３０１のうち、前側と後側のセンターカバー３１３が、本体ハウジング１０３に設けたスライドガイド３１９により案内されるように構成されている。スライドガイド３１９は、本体ハウジング１０３の外周側の前後左右の４か所に配置された円形断面の４本のガイドシャフト３２１によって構成されている（図６、図１０参照）。ガイドシャフト３２１は、電動ハンマ１００を上方から見た場合、ハンマビット１１９の長軸方向に延在する軸線に関して、上下及び左右に対称となる位置に配置されている。このスライドガイド３１９が、本発明における「ガイド部材」に対応し、ガイドシャフト３２１が、本発明における「ガイド要素」に対応する。
【００２９】
各ガイドシャフト３２１は、鉄製であり、図６に示すように、ハンマビット１１９の長軸方向に平行に延びており、延在方向の一端（下端側）が本体ハウジング１０３の外側に形成されたシャフト受容凹部３２３で支持され、延在方向の他端（上端側）がトッププレート３２５の受容凹部３２７によって支持される。トッププレート３２５は、本体ハウジング１０３の上面部に複数のネジ３２９（図１０参照）により固定される。センターカバー３１３は、ハンマビット１１９の長軸方向に関して、上下２か所にガイド孔３１３ａを有し、各ガイド孔３１３ａに嵌合されたスライドブッシュ３３１を介してガイドシャフト３２１に摺動自在に嵌合される。なお、センターカバー３１３のうち、前側のセンターカバー３１３は、前側２本のガイドシャフト３２１で案内され、後側のセンターカバー３１３は、後側２本のガイドシャフト３２１で案内されるように構成される。
【００３０】
上方領域部３０１のセンターカバー３１３の内側には、図７に示すように、上下一対のストッパ３３３が固定状に設けられ、このストッパ３３３によって上方領域部３０１の本体ハウジング１０３に対する相対移動範囲が規定されている。このストッパ３３３が、本発明における「ストッパ部材」に対応する。ストッパ３３３は、エラストマ製であり、左側と右側のガイドシャフト３２１間に配置されている。そして、上側のストッパ３３３の上端面がトッププレート３２５に形成された上側当接部３３５の平坦下面に当接可能に対向し、下側のストッパ３３３の下端面が本体ハウジング１０３に形成された下側当接部３３７の平坦上面に当接可能に対向されている。上側のストッパ３３３は、トッププレート３２５の上側当接部３３５に当接することで上方領域部３０１の最上端位置を規定し、下側のストッパ３３３は、本体ハウジング１０３の下側当接部３３７に当接することで上方領域部３０１の最下端位置を規定する。
【００３１】
図６に示すように、各ガイドシャフト３２１の外周を囲むように圧縮コイルスプリング３３９が配置されている。すなわち、圧縮コイルスプリング３３９は、ガイドシャフト３２１の外周との間に僅かな隙間を置いた状態で当該ガイドシャフト３２１に遊嵌状に嵌合されている。圧縮コイルスプリング３３９は、センターカバー３１３と本体ハウジング１０３を弾発状に接続する部材として備えられる。この圧縮コイルスプリング３３９が、本発明における「弾性部材」及び「弾性要素」に対応する。圧縮コイルスプリング３３９は、一端が本体ハウジング１０３のシャフト受容凹部３２３によって受けられ、他端がセンターカバー３１３の下側のスライドブッシュ３３１で受けられている。圧縮コイルスプリング３３９は、予め所定の荷重が付与された状態で組み付けられる。これにより、センターカバー３１３には上方に向かう付勢力が付与され、上方領域部３０１は、上側のストッパ３３３がトッププレート３２５の上側当接部３３５の下面に当接された位置に保持される。この位置が上方領域部３０１の初期位置となる。
【００３２】
なお、圧縮コイルスプリング３３９に対する荷重の付与は、トッププレート３２５を本体ハウジング１０３にネジ３２９で締め付けて固定するとき、当該トッププレート３２５が上側のストッパ３３３及びセンターカバー３１３を介して圧縮コイルスプリング３３９を下方へ向けて押圧することで行われることになる。また、図８に示すように、本体ハウジング１０３には、トッププレート３２５の複数本の位置決めピン３４１が設けられ、この位置決めピン３４１にトッププレート３２５に設けた位置決め孔３４２を嵌め込むことにより、本体ハウジング１０３に対するトッププレート３２５の組付けが容易化されている。なお、ヘッドカバー３１５のセンターカバー３１３への組み付けは、トッププレート３２５の本体ハウジング１０３に対する組付け後において実施される。
【００３３】
図５に示すように、上方領域部３０１のうち、左側と右側のハンドルベース３１１の外側面には、それぞれハンドグリップ３５０が固定状に取り付けられる。ハンドグリップ３５０は、合成樹脂製の中空状の円筒状部材であり、長軸方向の一端に鍔状の基部３５０ａを有する。そして、当該基部３５０ａが各ハンドルベース３１１の外側面に複数のネジ３５１（図１０参照）により固定状に連結されるとともに、他端がハンマビット１１９の長軸方向と交差する左右方向に延びて自由端とされている。すなわち、ハンドグリップ３５０は、ハンドルベース３１１に対して片持ち梁状に連結されている。
【００３４】
一対のハンドグリップ３５０のうち、一方のハンドグリップ３５０には、電動モータ１１０の駆動及び停止を操作するためのスイッチ３５３が設けられている。スイッチ３５３は、大部分がハンドグリップ内に収容されており、スイッチ操作部材であるスイッチレバー部３５３ａの一部がハンドグリップ３５０の外面に突出する構成とされる。そして、作業者がハンドグリップ３５０を把持する場合において、スイッチレバー部３５３ａが手指或いは掌で押圧されたときに電動モータ１１０が駆動し、当該押圧が解除されたときに電動モータ１１０が停止するよう構成されている。
【００３５】
一方、下方領域部３０３は、図１０に示すように、左側のサイドカバー３４３と、右側のサイドカバー３４３と、両サイドカバー３４３間に配置される作業者が把持可能な取っ手３５５とを主体として構成されている。左側と右側のサイドカバー３４３は、合成樹脂製であり、図１〜図８に示すように、本体ハウジング１０３の下方側において、左側と右側の側面全体、前面の一部及び後面の一部を外側から覆うように配置され、複数のネジ３４５（図１０参照）により当該本体ハウジング１０３に固定されている。取っ手３５５は、合成樹脂製であり、ハンマビット１１９の周方向に関して、電動ハンマ１００の前面に対応する、左側のサイドカバー３４３と右側のサイドカバー３４３との間に配置され、本体ハウジング１０３の前面に固定されている。すなわち、下方領域部３０３は、ハンマビット１１９の長軸方向周りに関して、本体ハウジング１０３の下部側を覆う環状のカバー部材を構成している。そして、図９に示すように、サイドカバー３４３の上端に上方領域部３０１のハンドルベース３１１とセンターカバー３１３の下端が摺動自在に被さるように配置され、下方領域部３０３に対して上方領域部３０１の相対移動が許容される構成とされている。
【００３６】
上方領域部３０１の下端と下方領域部３０３の上端の間には、ハンマビット１１９の長軸方向に伸縮自在な蛇腹３０５が配置されている。蛇腹３０５は、ゴム製であり、上方領域部３０１の下端部と下方領域部３０３の上端部間を囲む環状の伸縮自在な波状のカバー部材として備えられる。そして、図９に示すように、ハンマビット１１９の長軸方向に関して、蛇腹３０５の一端側周縁部３０５ａが上方領域部３０１のハンドルベース３１１とセンターカバー３１３の下端部外周面に形成された係合凹部３４７に係合され、蛇腹３０５の他端側周縁部３０５ｂが下方領域部３０３のサイドカバー３４３の外面及び本体ハウジング１０３の外面に形成された係合凹部３４８に係合されている。
【００３７】
上方領域部３０１の下端と下方領域部３０３の上端間に配置された蛇腹３０５は、当該蛇腹３０５の伸縮により本体ハウジング１０３及び下方領域部３０３に対する上方領域部３０１の相対移動を許容しつつ、上方領域部３０１と本体ハウジング１０３間の隙間、及び上方領域部３０１と下方領域部３０３間の隙間を塞いでいる。これにより、当該隙間を通じて作業時に発生する粉塵がグリップ保持部材３００の内側、すなわち当該グリップ保持部材３００の内面と本体ハウジング１０３の外面との間の空間に侵入することを防止する。なお、グリップ保持部材３００の内面と本体ハウジング１０３の外面との間には、電動モータ１１０を制御するコントローラ等の電気機器（便宜上図示を省略する）が配置されており、蛇腹３０５による粉塵の侵入防止により、当該電気機器を粉塵から保護できる。
【００３８】
また、下方領域部３０３を構成する一対のサイドカバー３４３のうちの一方のサイドカバー３４３には、電動モータ１１０に電流を供給するための電流供給ケーブル３０９が配置されている。すなわち、電流供給ケーブル３０９は、ハンドル３００Ａに取り付けられており、ハンドル３００Ａを通して電動モータ１１０に電流が供給される構成とされる。また、電流供給ケーブル３０９は、ハンドル３００Ａのうち、本体ハウジング１０３に固定される下方領域部３０３に配置されている。このため、電流供給ケーブル３０９と電動モータ１１０との相対位置が一定に維持されることとなる。
【００３９】
また、下方領域部３０３の構成部材の１つのである取っ手３５５は、横倒し状態に置かれた電動ハンマ１００を立ち上げるとき、あるいは電動ハンマ１００を運搬するとき等の、ハツリ作業以外の付随作業に使用可能とされる。この取っ手３５５が、本発明における「第２把持部」に対応する。図１、図８及び図１０に示すように、本体ハウジング１０３の前面において、左側のサイドカバー３４３と右側のサイドカバー３４３との間には、取っ手３５５を配置するための凹部３５７が形成されている。この凹部３５７には、ハンマビット１１９の長軸方向に延在するリブ３５９が設けられている。リブ３５９は、ハンマビット１１９の長軸方向と交差する方向に所定の間隔、具体的には作業者の指が挿入可能な間隔を置いて複数配置されている。
【００４０】
取っ手３５５は、略長方形の板状部材で構成されており、凹部３５７のうちの上側半分を覆うようにリブ３５９上に重ねられ、複数のネジ３６１によって本体ハウジング１０３に固定される。凹部３５７のうち、取っ手３５５により覆われない下側半分は、手指をリブ３５９間に挿し込むための指挿入用の開放空間３５７ａを構成している。これにより、作業者は、開放空間３５７ａから手指をリブ３５９間に差し込んで取っ手３５５を把持することが可能とされる。このように、下方領域部３０３の前面には、取っ手３５５が配置された構成であり、当該取っ手３５５の外面は、下方領域部３０３の前面と面一に設定されている。なお、取っ手３５５は、本体ハウジング１０３に固定する構成に変えて、下方領域部３０３に固定する構成としてもよい。
【００４１】
本実施形態の電動ハンマ１００は、主としてハンマビット１１９を下側、ハンドル３００Ａを上側にした下向き作業に使用されるが、このような電動ハンマ１００の場合、当該電動ハンマ１００の重心Ｇは、電動モータ１１０及び運動変換機構１２０が集中配置される領域である、ハンマビット１１９の長軸方向に延在する軸線上の上方側、具体的にはクランク軸１２１の付近に存在する（図５参照）。従って、取っ手３５５については、下方領域部３０３のうち、軸線方向と直交し、且つ電動ハンマ１００の重心Ｇを横切る平面上に配置することが好ましい。
【００４２】
本実施形態に係る電動ハンマ１００は、上記のように構成されている。従って、作業者は、上方領域部３０１のハンドルベース３１１の外側面に設けた一対のハンドグリップ３５０を左側と右側の手によりそれぞれ把持するとともに、ハンマビット１１９を下向きにした状態でスイッチレバー部３５３ａを押動して電動モータ１１０を駆動し、ハンマビット１１９を直線動作させて被加工材に対しハツリ作業を行うことができる。
【００４３】
上記のハツリ作業時において、電動ハンマ１００の本体部１０１には、ハンマビット１１９の長軸方向に衝撃的かつ周期的な振動が発生する。本実施形態においては、ハンドル３００Ａにつき、グリップ保持部材３００と一対のハンドグリップ３５０で構成している。また、グリップ保持部材３００については、上方領域部３０１と下方領域部３０３と両領域部３０１，３０３を相対移動可能に接続する蛇腹３０５とにより構成し、上方領域部３０１が圧縮コイルスプリング３３９を介して本体ハウジング１０３に接続された構成としている。従って、本体部１０１に発生する上記の振動に対し、圧縮コイルスプリング３３９が弾性変形することで上方領域部３０１及び当該上方領域部３０１に固定されたハンドグリップ３５０がハンマビット１１９の長軸方向に相対移動する。これにより本体ハウジング１０３から上方領域部３０１及びハンドグリップ３５０への振動伝達が低減される。
【００４４】
本実施形態に係る電動ハンマ１００の場合、前述したように、電動モータ１１０及び運動変換機構１２０が集中配置される領域に重心Ｇが存在する。一方、ハンドル３００Ａについては、電動ハンマ１００の操作性を考慮し、重心Ｇの近くに配置されるのが一般的である。そして、電動モータ１１０に電流を供給する電流供給ケーブル３０９の取り回しの道理化を考慮した場合、電動モータ１１０の近くに電流供給ケーブル３０９を配置することが好ましい。本実施形態においては、電動モータ１１０に電流を供給する電流供給ケーブル３０９につき、ハンドル３００Ａに配置する構成とすることで、電動モータ１１０と電流供給ケーブル３０９とを近接して配置し、当該電流供給ケーブル３０９の取り回しの合理化を図ることが可能になる。
【００４５】
特に、本実施形態では、グリップ保持部材３００につき、ハンマビット１１９の長軸方向に関して２分割し、一方の分割要素により、本体ハウジング１０３に対して圧縮コイルスプリング３３９を介して相対移動可能に接続された上方領域部３０１を構成し、他方の分割要素により、本体ハウジング１０３に対して固定された下方領域部３０３を構成し、そして、下方領域部３０３に電流供給ケーブル３０９を配置する構成としている。このような構成としたことで、グリップ保持部材３００及びハンドグリップ３５０の防振化を図りつつ、電流供給ケーブル３０９の、電動モータ１１０が収容される本体ハウジング１０３側への取り付け作業の合理化が図れる。
【００４６】
また、本実施形態によれば、上方領域部３０１と下方領域部３０３の間には、伸縮自在な蛇腹３０５を配置している。このため、本体ハウジング１０３及び下方領域部３０３に対する上方領域部３０１の相対移動を許容しつつ、上方領域部３０１と下方領域部３０３間の隙間を塞ぎ、当該隙間から粉塵等がグリップ保持部材３００の内側空間に侵入することを防止できる。とりわけ、本体ハウジング１０３とこれを覆うグリップ保持部材３００との間の内部空間を利用して、電気機器等を収容する構成にあっては、当該電気機器等を粉塵から保護できる。
【００４７】
また、本実施形態によれば、本体ハウジング１０３にハンマビット１１９の長軸方向に平行に延在する４本のガイドシャフト３２１を設ける一方、上方領域部３０１にはガイドシャフト３２１に摺動自在なスライドブッシュ３３１を設け、ガイドシャフト３２１を用いて上方領域部３０１を案内する構成としたので、当該上方領域部３０１が本体ハウジング１０３に対して相対移動する際の動作の安定化及び円滑化を図ることができる。
【００４８】
また、本実施形態によれば、４本の圧縮コイルスプリング３３９をガイドシャフト３２１毎に設けてあるため、上方領域部３０１に対して４本の圧縮コイルスプリング３３９の付勢力をバランスよく作用させることが可能となる。また、圧縮コイルスプリング３３９は、ガイドシャフト３２１の外周を囲むように設けられている。具体的には、圧縮コイルスプリング３３９は、ガイドシャフト３２１の外周との間に僅かな隙間を置いた状態で当該ガイドシャフト３２１に遊嵌状に嵌合されている。このため、圧縮コイルスプリング３３９が圧縮変形されるときの座屈現象を防止し、当該圧縮コイルスプリング３３９の動作の安定化が図られる。
【００４９】
また、本実施形態によれば、ガイドシャフト３２１と、当該ガイドシャフト３２１の外周に配置された圧縮コイルスプリング３３９は、ハンマビット１１９の長軸方向に関して同じ位置である。と同時にハンドグリップ３５０もハンマビット１１９の長軸方向に関して、圧縮コイルスプリング３３９及びガイドシャフト３２１と同じ位置に配置された構成である。このような構成によれば、電動ハンマ１００につき、ハンマビット１１９の長軸方向の短縮化を図る上で合理的な配置が達成される。
【００５０】
また、本実施形態によれば、左側と右側のハンドルベース３１１が、長軸方向に延在する軸線に関して対称形に形成され、また前側と後側のセンターカバー３１３も、上記軸線に関して、対称形に形成されている。すなわち、左側と右側のハンドルベース３１１同士が互いに同一形状とされ、また前側と後側のセンターカバー３１３同士が互いに同一形状とされる。このように、複数の構成要素が同じ部品で形成されるので、製作コストを低下することができる。
【００５１】
また、本実施形態によれば、下方領域部３０３の前面に電動ハンマ１００を持ち上げるときに使用可能な取っ手３５５を配置している。従って、横倒し状態に置かれた電動ハンマ１００を立ち上げるとき、あるいは運搬するときに、当該取っ手３５５を用いて電動ハンマ１００の立ち上げ作業や運搬作業を楽に行うことができる。取っ手３５５は、ハンマビット１１９の長軸方向に関して電動ハンマ１００の重心Ｇの近くに設定されるが、とりわけ運搬時の重量バランスを考慮して設置位置を設定することが好ましい。
【００５２】
また、本実施形態では、取っ手３５５を配置するために、本体ハウジング１０３に凹部３５７を設定し、当該凹部３５７にリブ３５９を設けている。これにより取っ手３５５の周辺の剛性を高めることが可能となる。また、取っ手３５５は、その外面がサイドカバー３４３の外面と面一に形成している。このため、作業時において、取っ手３５５が作業の邪魔にならず、また外観見栄えを損なうこともない。なお、取っ手３５５については、無くてもよいし、上方領域部３０１に設けてもよい。
【００５３】
次に本発明の他の実施形態につき、図１１〜図１５を参照しつつ説明する。この実施形態は、前述した実施形態のうち、センターカバー３１３の外側の一部を覆うように配置され、グリップ保持部材３００を保護するエラストマ製のプロテクター３１４と、センターカバー３１３の内側に配置され、上方領域部３０１の本体ハウジング１０３に対する相対移動範囲を規定するエラストマ製のストッパ３３３に関する変形例である。このプロテクター３１４が、本発明における「保護部材」に対応し、ストッパ３３３が、本発明におけ「ストッパ部材」に対応する。
【００５４】
この実施形態においては、図１３〜図１５に示すように、各センターカバー３１３の外側に配置されるプロテクター３１４とセンターカバー３１３の内側に配置されるストッパ３３３が、センターカバー３１３の壁面を貫通状に延在するエラストマ製の連絡部３３４及び当該連絡部３３４の一端部（内側端部）から延在するエラストマ製の延長部分３３４ａによって互いに連結されている。連絡部３３４は、センターカバー３１３に形成されたハンマビット１１９の長軸方向に交差する方向に延在する貫通孔３１３ｂに貫通状に位置し、延在方向の他端部（外側端部）がプロテクター３１４の延在方向の略中央領域と連結されている。延長部分３３４は、図１２に示すように、センターカバー３１３を内側から見て、センターカバー３１３の内面に沿って略Ｔ字状に延在するとともに、ハンマビット１１９の長軸方向に延在する部分の一端が上側のストッパ３３３に連結され、他端が下側のストッパ３３３に連結される。上記の連絡部３３４及び延長部分３３４ａが、本発明における「連結部材」に対応する。
【００５５】
なお、図１１及び図１２においては、プロテクター３１４、プロテクター３１４、延長部分３３４ａについて、便宜上、左下方に傾斜する斜線を付してセンターカバー３１３との区別を明らかにしている。
【００５６】
プロテクター３１４とストッパ３３３とは、便宜上、図示はしないが、成形型を用いてのインサート成形等によって成形される。すなわち、所定形状に形成された成形型内にセンターカバー３１３をセットした後、当該成形型に液状のエラストマを充填し、固化することによって成形されるが、その成形時において、センターカバー３１３の外側に成形されるプロテクター３１４と、センターカバー３１３の内側に成形されるストッパ３３３は、センターカバー３１３の貫通孔３１３ｂ内に成形される連絡部３３４及びセンターカバー３１３の内面に沿って延びる延長部分３３４ａを介して連結される。これによりプロテクター３１４とストッパ３３３とが一体に形成された構成とされる。
【００５７】
この実施形態によれば、センターカバー３１３の外側に配置されるプロテクター３１４とセンターカバー３１３の内側に配置されるストッパ３３３とを、当該センターカバー３１３を貫通する連絡部３３４及び当該連絡部３３４から延在する略Ｔ字状の延長部分３３４ａによって互いに連結する構成としたので、プロテクター３１４及びストッパ３３３のセンターカバー３１３からの脱落を効果的に防止することができる。
【００５８】
なお、この実施形態では、センターカバー３１３の内側に略Ｔ字状の延長部分３３４ａを設ける構成としたが、プロテクター３１４とストッパ３３３を互いに対向するように配置することで、当該プロテクター３１４とストッパ３３３を連絡部３３４により直接に連結する構成とし、略Ｔ字状の延長部分３３４ａを設けなくてもよい。
【００５９】
次に本発明の更に他の実施形態につき、図１６〜図１８を参照しつつ説明する。この実施形態は、前述した実施形態のうち、上方領域部３０１と下方領域部３０３をハンマビット１１９の長軸方向に相対移動可能に接続する接続部材としての蛇腹３０５に関する変形例である。
【００６０】
図１６に示すように、蛇腹３０５は、環状に形成されている。蛇腹３０５は、図１８に示すように、前述した実施形態の場合と同様、ハンマビット１１９の長軸方向に関して、一端側周縁部３０５ａが、上方領域部３０１のハンドルベース３１１とセンターカバー３１３の下端部外面に形成された係合凹部３４７と係合し、他端側周縁部３０５ｂが、下方領域部３０３のサイドカバー３４３の外面及び本体ハウジング１０３の外面に形成された係合凹部３４８に係合される構成である。加えて、この実施形態においては、蛇腹３０５の一端側周縁部３０５ａ及び他端側周縁部３０５ｂの端面それぞれに、周方向に所定間隔で配置された係止爪３０５ｃが複数（８個）設けられている（図１６、図１７参照）。そして、これら係止爪３０５ｃが、係合凹部３４７，３４８に形成された係止部３４７ａ，３４８ａに弾発状に係止するように構成されている。なお、係止部３４７ａ，３４８ａは、係合凹部３４７，３４８に形成された係止孔の孔縁によって構成される。
【００６１】
この実施形態によれば、蛇腹３０５の係止爪３０５ｃが、係合凹部３４７，３４８の係止部３４７ａ，３４８ａに弾発状に係止する構成としたことにより、蛇腹３０５が上方領域部３０１、下方領域部３０３及び本体ハウジング１０３から外れることを防止することができる。
【００６２】
なお、上述した実施形態は、打撃工具の例として、電動ハンマの場合で説明したが、ハンマビット１１９に長軸方向の直線動作と長軸方向周りの回転を行なわせるハンマドリルに適用してもよい。
【００６３】
なお、本発明の趣旨に鑑み、以下の如き態様を構成することができる。
（態様１）
「先端工具を少なくとも長軸方向に駆動して所定の作業を行う打撃工具であって、
工具本体部と、
ハンドルと、を有し、
前記ハンドルは、前記先端工具の長軸方向に関して、前記工具本体部の一方側を覆う第１カバー部材と、
前記工具本体部と前記第１カバー部材との間に介在して配置された弾性部材と、
前記第１カバー部材に固定され、前記長軸方向と交差する方向に関して、互いに反対方向に延在する一対の把持部と、
前記先端工具の長軸方向に関して、前記第１カバー部材よりも前記先端工具側に配置され、前記工具本体部の他方側を覆うとともに当該工具本体部に固定された第２カバー部材と、を有し、
前記把持部は、一端側が前記第１カバー部材に固定された片持ち梁状に構成され、
前記第１カバー部材は、前記長軸方向に関して、前記弾性部材を介して前記工具本体部及び前記第２カバー部材に対して摺動するように構成されていることを特徴とする打撃工具。」
【００６４】
この態様１によれば、工具本体部をカバー部材により覆いつつ、ハンドルを合理的に防振することが可能な打撃工具が提供される。
【００６５】
（実施形態の各構成要素と本発明の構成要素との対応関係）
本実施形態における各構成要素と、本発明における構成要素との発明特定事項との関係は、以下のとおりである。もちろん、本実施形態における各構成要素は、対応する本発明の特定事項に関する一つの実施構成例に過ぎず、本発明の各構成要素はこれに限定されるものではない。
電動ハンマ１００が、本発明の「打撃工具」に対応する構成の一例である。
ハンマビット１１９が、本発明の「先端工具」に対応する構成の一例である。
電動モータ１１０が、本発明の「モータ」に対応する構成の一例である。
運動変換機構１２０が、本発明における「駆動機構」に対応する構成の一例である。
本体部１０１が、本発明の「工具本体部」に対応する構成の一例である。
ハンドル３００Ａが、本発明の「ハンドル」に対応する構成の一例である。
グリップ保持部材３００が、本発明の「ハンドル本体部」に対応する構成の一例である。
ハンドグリップ３５０が、本発明の「把持部」に対応する構成の一例である。
上方領域部３０１が、本発明の「第１部分」に対応する構成の一例である。
下方領域部３０３が、本発明の「第２部分」に対応する構成の一例である。
圧縮コイルスプリング３３９が、本発明の「弾性部材」及び「弾性要素」に対応する構成の一例である。
電流供給ケーブル３０９が、本発明の「電流供給ケーブル」に対応する構成の一例である。
蛇腹３０５が、本発明の「接続部材」に対応する構成の一例である。
スライドガイド３１９が、本発明の「ガイド部材」に対応する構成の一例である。
ガイドシャフト３２１が、本発明の「ガイド要素」に対応する構成の一例である。
取っ手３５５が、本発明の「第２把持部」に対応する構成の一例である。
プロテクター３１４が、本発明の「保護部材」に対応する構成の一例である。
ストッパ３３３が、本発明の「ストッパ部材」に対応する構成の一例である。
連絡部３３４及び延長部分３３４ａが、本発明の「連結部材」に対応する構成の一例である。
【符号の説明】
【００６６】
１００  電動ハンマ（打撃工具）
１０１  本体部（工具本体部）
１０３  本体ハウジング
１０４  バレル部
１１０  電動モータ（モータ）
１１１  モータ軸
１１３  ギア減速機
１１９  ハンマビット（先端工具）
１２０  運動変換機構（駆動機構）
１２１  クランク軸
１２３  連接ロッド
１２５  ピストン
１３１  ツールホルダ
１４０  打撃要素
１４１  シリンダ
１４１ａ  空気室
１４３  ストライカ
１４５  インパクトボルト
３００Ａ  ハンドル（ハンドル）
３００  グリップ保持部材（ハンドル本体部）
３０１  上方領域部（第１部分）
３０３  下方領域部（第２部分）
３０５  蛇腹（接続部材）
３０５ａ  一端側周縁部
３０５ｂ  他端側周縁部
３０５ｃ  係止爪
３０９  電流供給ケーブル（電流供給ケーブル）
３１１  ハンドルベース
３１３  センターカバー
３１３ａ  ガイド孔
３１３ｂ  貫通孔
３１４  プロテクター（保護部材）
３１５  ヘッドカバー
３１７  ネジ
３１９  スライドガイド（ガイド部材）
３２１  ガイドシャフト（ガイド要素）
３２３  シャフト受容凹部
３２５  トッププレート
３２７  受容凹部
３２９  ネジ
３３１  スライドブッシュ
３３３  ストッパ（ストッパ部材）
３３４  連絡部（連結部材）
３３４ａ  延長部分（連結部材）
３３５  上側当接部
３３７  下側当接部
３３９  圧縮コイルスプリング（弾性部材、弾性要素）
３４１  位置決めピン
３４２  位置決め孔
３４３  サイドカバー
３４５  ネジ
３４７  係合凹部
３４７ａ  係止部
３４８  係合凹部
３４８ａ  係止部
３５０  ハンドグリップ（把持部）
３５０ａ  基部
３５１  ネジ
３５３  スイッチ
３５３ａ  スイッチレバー部
３５５  取っ手（第２把持部）
３５７  凹部
３５７ａ  開放空間
３５９  リブ
３６１  ネジ
【図１】
2015066628.tif 000003
【図２】
2015066628.tif 000004
【図３】
2015066628.tif 000005
【図４】
2015066628.tif 000006
【図５】
2015066628.tif 000007
【図６】
2015066628.tif 000008
【図７】
2015066628.tif 000009
【図８】
2015066628.tif 000010
【図９】
2015066628.tif 000011
【図１０】
2015066628.tif 000012
【図１１】
2015066628.tif 000013
【図１２】
2015066628.tif 000014
【図１３】
2015066628.tif 000015
【図１４】
2015066628.tif 000016
【図１５】
2015066628.tif 000017
【図１６】
2015066628.tif 000018
【図１７】
2015066628.tif 000019
【図１８】
2015066628.tif 000020